(57)【要約】【課題】部品点数を減らしても、それぞれの筐体の表示部と操作部の当接を防止することができる折り畳み型電子機器を提供する。【解決手段】折り畳み型携帯電話機１は、ヒンジ４により互いに開閉可能に連結された上筐体２及び下筐体３と、下筐体３の側面に設けられたコネクタを蓋するコネクタカバー５と、を備える。上筐体２は、上筐体２と下筐体３を閉じたときに内側となる面に表示部６を有し、下筐体３は、上筐体２と下筐体３を閉じたときに内側となる面に操作部９を有する。コネクタカバー５は、操作部９が形成された面よりも突出し更に、操作部９よりも高く突出している。【選択図】図１
2006157795.tif 000002
【特許請求の範囲】
【請求項１】
ヒンジにより互いに開閉可能に連結された二つの筐体と、
前記二つの筐体のうち一方の筐体の側面に設けられたコネクタを蓋するコネクタカバーと、を備え、
前記コネクタカバーは、前記二つの筐体を閉じたときに内側となる前記一方の筐体の面よりも突出するよう設けられていることを特徴とする折り畳み型電子機器。
【請求項２】
前記二つの筐体のうち一方の筐体が前記二つの筐体を閉じたときに内側となる面に操作部を有し、他方の筐体が前記二つの筐体を閉じたときに内側となる面に表示部を有し、前記コネクタカバーが前記操作部よりも高く突出していることを特徴とする請求項１に記載の折り畳み型電子機器。
【発明の詳細な説明】
【技術分野】
【０００１】
本発明は、二つの筐体を開閉可能に連結した折り畳み型電子機器に関する。
【背景技術】
【０００２】
近年、折り畳み型携帯電話機に代表されるように、二つの筐体を互いに開閉可能に連結した折り畳み型電子機器が広く利用されている。このような折り畳み型電子機器では、二つの筐体を閉じた状態で表示部と操作部が対向するため、表示部と操作部が当接しないように工夫がなされている（例えば、特許文献１参照。）。
【０００３】
図５に示す折り畳み型携帯電話機１０１では、上筐体１０２に下筐体１０３が開閉可能に連結されている。上筐体１０２の表示側の面には、エラストマーからなるストッパ１０４が埋め込まれるように取り付けられ、ストッパ１０４がその面から突出している。そして、図６に示すように、上筐体１０２と下筐体１０３を閉じると、ストッパ１０４が下筐体１０３に当接し、これにより表示部１０５と操作部１０６が当接しない。
【特許文献１】特開２００３−２６４６１７号公報
【発明の開示】
【発明が解決しようとする課題】
【０００４】
しかしながら、ストッパ１０４を別途準備する必要がある。そのため、携帯電話機１０１の部品点数が増えてしまい、ストッパ１０４を上筐体１０２に取り付けるための時間とコストを要する。
【０００５】
そこで、本発明は、上記のような問題点を解決しようとしてなされたものであり、部品点数を減らしても、それぞれの筐体の表示部と操作部の当接を防止することができる折り畳み型電子機器を提供することを目的とする。
【課題を解決するための手段】
【０００６】
以上の課題を解決するために、本発明の折り畳み型電子機器は、ヒンジにより互いに開閉可能に連結された二つの筐体（上筐体２及び下筐体３）と、前記二つの筐体のうち一方の筐体（下筐体３）の側面に設けられたコネクタを蓋するコネクタカバー（コネクタカバー５）と、を備え、前記コネクタカバーは、前記二つの筐体を閉じたときに内側となる前記一方の筐体の面よりも突出するよう設けられていることを特徴とする。
【０００７】
本発明によれば、一方の筐体の側面に設けられたコネクタを蓋したコネクタカバーが内側となる面よりも突出しているので、二つの筐体を閉じるとコネクタカバーが他方の筐体に当接し、二つの筐体の間には隙間が形成される。そのため、二つの筐体の互いに対向する面に表示部、操作部等が設けられている場合、それらが当接しない。
【０００８】
また、元来、折り畳み電子機器には充電、データ転送等のためにコネクタが設けられており、そのコネクタの保護のためにコネクタカバーも設けられている。閉じた状態の二つの筐体間にそのコネクタカバーによって隙間を形成したので、別途ストッパ等を筐体に設ける必要がない。そのため、折り畳み型電子機器の部品点数を削減することができる。
【０００９】
本発明において、前記二つの筐体のうち一方の筐体（下筐体３）が前記二つの筐体を閉じたときに内側となる面に操作部（操作部９）を有し、他方の筐体（上筐体２）が前記二つの筐体を閉じたときに内側となる面に表示部（表示部６）を有し、前記コネクタカバーが前記操作部よりも高く突出していることが好ましい。
【００１０】
以上によれば、コネクタカバーが操作部よりも高く突出しているので、二つの筐体を閉じた場合、操作部でなくコネクタカバーが他方の筐体に当接し、表示部と操作部の当接を防止することができる。
【発明の効果】
【００１１】
本発明によれば、二つの筐体を閉じると二つの筐体の間には隙間がコネクタカバーによって形成されるから、ストッパを別途設けずに折り畳み型電子機器の部品点数を減らしても、それぞれの筐体の表示部と操作部の当接を防止することができる。
また、コネクタカバーがエラストマーからなればから、二つの筐体を閉じる時におけるコネクタカバーの衝突力を緩衝することができる。
【発明を実施するための最良の形態】
【００１２】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１３】
図１は、本発明を適用した実施形態における折り畳み型携帯電話機１の二面図である。図１（ａ）は折り畳み型携帯電話機１の側面図であり、図１（ｂ）は折り畳み型携帯電話機１の正面図である。また、図２は、折り畳み型携帯電話機１を折り畳んだ状態における側面図である。
【００１４】
図１、図２に示すように、折り畳み型携帯電話機１は、上筐体２と、下筐体３と、ヒンジ４と、コネクタカバー５とを備える。上筐体２はヒンジ４によって下筐体３に連結されており、ヒンジ４によって上筐体２と下筐体３が開閉自在に設けられている。
【００１５】
上筐体２の両面のうち折り畳んだときに内側となる面には、液晶ディスプレイパネル又はエレクトロルミネッセンスディスプレイパネルからなる表示部６が設けられている。表示部６が設けられた面とは反対側の背面には、液晶ディスプレイパネル又はエレクトロルミネッセンスディスプレイパネルからなるサブ表示部７が設けられている。サブ表示部７の周囲には、撮像レンズ８が設けられ、上筐体２の内部であって撮像レンズ８の光軸と交差する箇所には、ＣＣＤ型又はＣＭＯＳ型の固体撮像素子が設けられ、撮像レンズ８によって像が固体撮像素子に結像される。
【００１６】
下筐体３の両面のうち折り畳んだときに内側となる面には、操作部９とマイク３２が設けられている。操作部９は、数値入力、文字入力、キャンセル等の操作用のボタン１１〜２９と、カーソル移動又は画面スクロール等の操作用のボタン３０と、決定等の操作用のボタン３１とからなる。何れのボタン１１〜３１も押下可能に設けられており、押下されていない状態では下筐体３の表面よりもやや高く突出している。
【００１７】
また、ヒンジ４と反対側の下筐体３の側面には、雌型のコネクタ３３（図４参照）が設けられており、そのコネクタ３３はコネクタカバー５によって蓋がされている。コネクタカバー５は図１（ａ）に図示するように回動用のアーム部材５１が一体的に形成され、このアーム部材５１が下筐体３のスリット３１に回動可能にはめ込まれている。これにより、コネクタカバー５は下筐体３に対して回動可能になっている。また、コネクタカバー５は、ウレタンゴム、ポリエステルエラストマー（例えば、ハイトレル（Ｒ））等のエラストマーからなり、その中央部５２はなだらかに凸状形成されている。
【００１８】
図３は、図２におけるＡ領域を拡大図示した図面である。図３に示すように、コネクタカバー５の中央部５２は操作部９（ボタン２５）が設けられた面よりも突出しており、コネクタカバー５の中央部５２の突出高さはボタン２５の突出高さよりも高くなっている。なお、図１（ａ）に示すように、コネクタカバー５の中央部５２の突出高さはボタン１１〜２４及びボタン２６〜３１の突出高さよりも高くなっている。
【００１９】
したがって、この折り畳み型携帯電話機１によれば、開いた状態の上筐体２と下筐体３をヒンジ４を中心にして閉じると、コネクタカバー５の中央部５２が上筐体２に当接する。これにより、表示部６対向したボタン１１〜３１が表示部６に当接するのが防止される。
【００２０】
図４は、コネクタカバー５をアーム部材５１を回動させて下筐体３より開放させ、コネクタ３３を露出させた状態を示す図である。この状態において、コネクタカバー５は、アーム部材５１が形成されている反対側に、下筐体３に固定穴３４にはめるための固定フック部材５３が一体的に形成されている。この固定フック５３は、コネクタカバー５がコネクタ３３を覆うように回動された際、固定穴３４にはめ込まれることによって、落下等の衝撃でコネクタカバー５が下筐体３から外れることがないように設けられたものである。
【００２１】
一方、アーム部材５１がはめ込まれるスリット３１の内壁部には、このコネクタカバーの回動穴５４に対し軸３５、３６が設けられている。
このような構成により、コネクタカバー５を回動されてコネクタ３３を開放させる場合は、コネクタカバー５をＡ方向に引き抜いて固定フック５３を固定穴３４から出して、軸５４を中心としてＢ方向に回転させて開放させることができる。
【００２２】
このように本発明を適用させた携帯電話機１によれば、上筐体２と下筐体３を閉じた状態では、上筐体２と下筐体３の互いに向き合う面がコネクタカバー５の中央部５２によって間隔をあけられているので、エラストマー製のスペーサーを上筐体２と下筐体３の互いに向き合う面に別途設ける必要がない。そのため、折り畳み型携帯電話機１の部品点数を減らすことができる。
【００２３】
したがって、上筐体２と下筐体３を閉じるとコネクタカバー５の中央部５２が上筐体２に衝突するが、コネクタカバー５自体がエラストマーで構成されているのでその衝突力を緩衝することができる。
【００２４】
なお、本発明は、上記実施形態に限定されることなく、本発明の趣旨を逸脱しない範囲において、種々の改良並びに設計の変更を行っても良い。
【００２５】
例えば、コネクタがヒンジ４と反対側の下筐体３の側面に設けられているが、下筐体３の左又は右の側面に設けられていても良い。左右の側面にコネクタが設けられている場合でも、そのコネクタを蓋するエラストマー製のコネクタカバーが下筐体３に対して着脱可能に設けられ、そのコネクタカバーは操作部９が設けられた面よりも高く突出しており、そのコネクタカバーの突出高さはボタン１１〜３１の突出高さよりも高くなっている。下筐体３の左右の側面にコネクタ及びコネクタカバーが設けられている場合、コネクタカバー５及びそのコネクタが設けられていても良いし、設けられていなくても良い。
【００２６】
また、上筐体２の側面にコネクタが設けられ、そのコネクタを蓋するエラストマー製のコネクタカバーが上筐体２に対して着脱可能に設けられていても良い。そのコネクタカバーは表示部６が設けられた面よりも高く突出しており、そのコネクタカバーの突出高さはボタン１１〜３１の突出高さよりも高くなっている。上筐体２の側面にコネクタ及びコネクタカバーが設けられている場合、コネクタカバー５及びそのコネクタが設けられていても良いし、設けられていなくても良い。
【００２７】
また、上記実施形態においては携帯電話機に本発明を適用しているが、折り畳み型の電子機器であれば、ノート型パーソナルコンピュータ、デジタルカメラ、腕時計、ＰＤＡ（Personal Digital Assistance）、電子手帳、その他の電子機器に本発明を適用しても良い。
【図面の簡単な説明】
【００２８】
【図１】図１（ａ）は折り畳み型携帯電話機１の側面図であり、図１（ｂ）は折り畳み型携帯電話機１の正面図である。
【図２】折り畳み型携帯電話機１を折り畳んだ状態における側面図である。
【図３】図２におけるＡ領域を拡大図示した図面である。
【図４】携帯電話機１のコネクタカバー５を開放させた状態を拡大図示したものである。
【図５】図５（ａ）は従来の折り畳み型携帯電話機１０１の側面図であり、図５（ｂ）は折り畳み型携帯電話機１０１の正面図である。
【図６】折り畳み型携帯電話機１０１を折り畳んだ状態における端部側の側面図である。
【符号の説明】
【００２９】
１  折り畳み型携帯電話機
２  上筐体
３  下筐体
４  ヒンジ
５  コネクタカバー
６  表示部
９  操作部
３１  スリット
３２  マイク
３３  コネクタ
３４  固定穴
３５、３６  軸
５１  アーム部材
５２  中央部
５３  固定フック
５４  回動穴
【図１】
2006157795.tif 000003
【図２】
2006157795.tif 000004
【図３】
2006157795.tif 000005
【図４】
2006157795.tif 000006
【図５】
2006157795.tif 000007
【図６】
2006157795.tif 000008